【手続補正書】
【提出日】平成17年3月14日(2005.3.14)
【手続補正１】
【補正対象書類名】明細書
【補正対象項目名】特許請求の範囲
【補正方法】変更
【補正の内容】
【特許請求の範囲】
【請求項１】
サービスを利用する利用者の情報処理端末を識別する識別情報を読み取る読取部と、操作部と、表示部と、プリント部を有する複数の端末装置が、ネットワークを介してサーバと情報通信を行いサービスを提供するサービス提供システムであって、
前記情報処理端末の識別情報を含む利用者情報を前記サーバに登録し、前記読取部により読み取った前記情報処理端末の識別情報と登録した利用者情報とから前記情報処理端末を認証してサービスを開始し、前記情報処理端末の識別情報を前記読取部により読み取った端末装置を、スタート地点となる端末装置として決定し、前記スタート地点となる端末装置の表示部に、次の地点となる端末装置への移動を指示する指示画面を表示し、
前記次の地点となる端末装置の読取部により前記情報処理端末の識別情報を読み取ると、前記情報処理端末を認証して前記表示部に問題を出題し、前記次の地点となる端末装置の操作部によって入力された前記問題に対する解答データを前記サーバに保存し、
ゴール地点として決定された端末装置の読取部により前記情報処理端末の識別情報を読み取ると、前記情報処理端末を認証して前記解答データに基づいて決定される最終結果データを前記サーバから受信し、最終結果をゴール地点となる端末装置のプリント部から排出することを特徴とするサービス提供システム。
【請求項２】
サービスを利用する利用者の情報処理端末を識別する識別情報を読み取る読取部と、操作部と、表示部を有する複数の端末装置が、ネットワークを介してサーバと情報通信を行いサービスを提供するサービス提供システムであって、
前記情報処理端末の識別情報を含む利用者情報を前記サーバに登録し、前記読取部により読み取った前記情報処理端末の識別情報と登録した利用者情報とから前記情報処理端末を認証してサービスを開始し、前記情報処理端末の識別情報を前記読取部により読み取った端末装置を、スタート地点となる端末装置として決定し、前記スタート地点となる端末装置の表示部に、次の地点となる端末装置への移動を指示する指示画面を表示し、
前記次の地点となる端末装置の読取部により前記情報処理端末の識別情報を読み取ると、前記情報処理端末を認証して前記表示部に問題を出題し、前記次の地点となる端末装置の操作部によって入力された前記問題に対する解答データを前記サーバに保存し、
ゴール地点として決定された端末装置の読取部により前記情報処理端末の識別情報を読み取ると、前記情報処理端末を認証して前記解答データに基づいて決定される最終結果データを前記情報処理端末へ送信することを特徴とするサービス提供システム。
【請求項３】
次の地点となる端末装置の読取部により前記情報処理端末の識別情報を読み取る前に、経由した各地点の端末装置の読取部により前記情報処理端末の識別情報を読み取って決定した移動経路に応じて、前記次の地点となる端末装置の表示部に出題する問題を決定することを特徴とする請求項１又は２記載のサービス提供システム。
【請求項４】
前記次の地点となる端末装置の操作部によって入力された前記問題に対する解答データに基づいて、さらに次の地点となる端末装置を決定し、
前記次の地点となる端末装置の表示部に、前記さらに次の地点となる端末装置への移動を指示する指示画面を表示する
ことを特徴とする請求項１又は２記載のサービス提供システム。
【請求項５】
サービスを利用する利用者の情報処理端末を識別する識別情報を読み取る読取部と、操作部と、表示部と、プリント部を有する複数の端末装置が、ネットワークを介してサーバと情報通信を行いサービスを提供するサービス提供システムであって、
前記情報処理端末の識別情報を含む利用者情報を前記サーバに登録し、前記読取部により読み取った前記情報処理端末の識別情報と登録した利用者情報とから前記情報処理端末を認証してサービスを開始し、複数の端末装置のうち、スタート地点となる端末装置と、ゴール地点となる端末装置と、前記スタート地点となる端末装置からゴール地点となる端末装置へ到達するまでに経由すべき各地点の端末装置を決定し、
前記スタート地点となる端末装置の読取部により前記情報処理端末の識別情報を読み取ると、前記スタート地点となる端末装置の表示部に、次の地点となる端末装置への移動を指示する指示画面を表示し、
前記次の地点となる端末装置の読取部により前記情報処理端末の識別情報を読み取ると、前記情報処理端末を認証して前記表示部により問題を出題し、前記次の地点となる端末装置の操作部によって入力された前記問題に対する解答データを前記サーバに保存し、
前記ゴール地点となる端末装置の読取部により前記情報処理端末の識別情報を読み取ると、前記情報処理端末を認証して前記解答データに基づいて決定される最終結果データを前記サーバから受信し、最終結果をゴール地点となる端末装置のプリント部から排出する
ことを特徴とするサービス提供システム。
【請求項６】
サービスを利用する利用者の情報処理端末を識別する識別情報を読み取る読取部と、操作部と、表示部を有する複数の端末装置が、ネットワークを介してサーバと情報通信を行いサービスを提供するサービス提供システムであって、
前記情報処理端末の識別情報を含む利用者情報を前記サーバに登録し、前記読取部により読み取った前記情報処理端末の識別情報と登録した利用者情報とから前記情報処理端末を認証してサービスを開始し、複数の端末装置のうち、スタート地点となる端末装置と、ゴール地点となる端末装置と、前記スタート地点となる端末装置からゴール地点となる端末装置へ到達するまでに経由すべき各地点の端末装置を決定し、
前記スタート地点となる端末装置の読取部により前記情報処理端末の識別情報を読み取ると、前記スタート地点となる端末装置の表示部に、次の地点となる端末装置への移動を指示する指示画面を表示し、
前記次の地点となる端末装置の読取部により前記情報処理端末の識別情報を読み取ると、前記情報処理端末を認証して前記表示部により問題を出題し、前記次の地点となる端末装置の操作部によって入力された前記問題に対する解答データを前記サーバに保存し、
前記ゴール地点となる端末装置の読取部により前記情報処理端末の識別情報を読み取ると、前記情報処理端末を認証して前記解答データに基づいて決定される最終結果データを前記情報処理端末へ送信する
ことを特徴とするサービス提供システム。
【請求項７】
前記情報処理端末の識別情報を含む利用者情報を２つ一組として前記サーバに登録し、前記読取部により読み取った各情報処理端末の識別情報と登録した各利用者情報とから前記情報処理端末を認証してサービスを開始し、
複数の端末装置のうちから選択された一の端末装置の読取部により、前記一組の一方の情報処理端末の識別情報を読み取ると、前記一方の情報処理端末を認証して前記一の端末装置の表示部により問題を出題し、
前記一の端末装置の操作部によって入力された前記問題に対する解答データを受信した前記サーバは、前記一組の他方の情報処理端末に対し電子メールを送信する
ことを特徴とする請求項５又は６記載のサービス提供システム。
【請求項８】
各地点の端末装置の読取部により前記情報処理端末の識別情報を読み取ると、読み取った時間データを取得し、
次の地点となる端末装置の読取部により前記情報処理端末の識別情報を読み取った時間から、予め定めた時間以上の時間が経過した後に、さらに次の地点となる端末装置の読取部により前記情報処理端末の識別情報を読み取った時間データを取得できないときは、前記情報処理端末に対し電子メールを送信する
ことを特徴とする請求項１、２、５又は６記載のサービス提供システム。